(57)【要約】【課題】  レーザ素子の温度上昇を抑制することによって、レーザ素子のスロープ効率の低下を抑制し、装置寿命の長い光ディスク装置を提供することである。【解決手段】  レーザ素子２２およびドライバ素子２３のうち少なくともいずれか一方は、基台２５とともに移動する移動範囲の全領域にわたって、保持面３２を含む仮想一平面側に露出するように設けられる。ディスク状記録媒体２１が回転されると、ディスク状記録媒体２１の雰囲気ガスが流動する。ディスク状記録媒体２１と、レーザ素子２２およびドライバ素子２３のうち保持面３２を含む仮想一平面側に露出する素子との間には、ディスク状記録媒体２１の雰囲気ガスの流れを遮るものがないので、ディスク状記録媒体２１の雰囲気ガスが流動することによって、レーザ素子２２およびドライバ素子２３のうち保持面３２を含む仮想一平面側に露出する素子の雰囲気ガスが拡散する。【選択図】      図１
2006147032.tif 000002
【特許請求の範囲】
【請求項１】
ディスク状記録媒体に光を照射することによって、ディスク状記録媒体に情報を記録する記録処理、ディスク状記録媒体に記録された情報を読み出す読出処理、およびディスク状記録媒体に記録された情報を消去する消去処理のうち、少なくともいずれか１つを実行可能な光ディスク装置であって、
ディスク状記録媒体を保持する保持面を有する保持手段と、
保持手段を保持面に垂直な軸線まわりに回転する回転手段と、
保持手段に保持されるディスク状記録媒体に照射されるべき光を発生するレーザ素子、レーザ素子を駆動するドライバ素子、およびレーザ素子とドライバ素子とが設けられ、保持手段の前記軸線を中心とする半径方向に移動可能な基台を有する光ピックアップ手段とを含み、
レーザ素子およびドライバ素子のうち少なくともいずれか一方は、基台とともに移動する移動範囲の全領域にわたって、保持面を含む仮想一平面側に露出するように設けられることを特徴とする光ディスク装置。
【請求項２】
前記光ピックアップ手段は、レーザ素子から出射する光を保持手段に保持されるディスク状記録媒体に集光し、基台に設けられる対物レンズを有し、
対物レンズが、基台とともに移動する移動範囲の全領域にわたって、保持面を含む仮想一平面側に露出する開口が形成され、光ピックアップ手段の一部を覆うカバー体を含み、
レーザ素子およびドライバ素子のうち少なくともいずれか一方は、基台とともに移動する移動範囲の全領域にわたって、カバー体の開口から保持面を含む仮想一平面側に露出することを特徴とする請求項１記載の光ディスク装置。
【請求項３】
ディスク状記録媒体に光を照射することによって、ディスク状記録媒体に情報を記録する記録処理、ディスク状記録媒体に記録された情報を読み出す読出処理、およびディスク状記録媒体に記録された情報を消去する消去処理のうち、少なくともいずれか１つを実行可能な光ディスク装置であって、
ディスク状記録媒体を保持する保持面を有する保持手段と、
保持手段に保持されるディスク状記録媒体に照射されるべき光を発生するレーザ素子、およびレーザ素子を駆動するドライバ素子を有する光ピックアップ手段と、
保持手段および光ピックアップ手段を収容するケーシングと、
ケーシング内のガスを流動化する流動化手段とを含むことを特徴とする光ディスク装置。
【請求項４】
前記流動化手段は、レーザ素子およびドライバ素子のうち少なくともいずれか一方に向かって送風する送風手段であることを特徴とする請求項３記載の光ディスク装置。
【請求項５】
前記流動化手段は、レーザ素子およびドライバ素子に向かって送風する送風手段であり、
レーザ素子およびドライバ素子のうち、より冷却すべき一方を、他方に対して、送風手段の送風方向の上流となるようにレーザ素子、ドライバ素子および送風手段を設けることを特徴とする請求項３記載の光ディスク装置。
【請求項６】
ディスク状記録媒体に光を照射することによって、ディスク状記録媒体に情報を記録する記録処理、ディスク状記録媒体に記録された情報を読み出す読出処理、およびディスク状記録媒体に記録された情報を消去する消去処理のうち、少なくともいずれか１つを実行可能な光ディスク装置であって、
ディスク状記録媒体を保持する保持面を有する保持手段と、
保持手段に保持されるディスク状記録媒体に照射されるべき光を発生するレーザ素子、およびレーザ素子を駆動するドライバ素子を有する光ピックアップ手段と、
保持手段および光ピックアップ手段を収容するケーシングと、
ケーシングを冷却する冷却手段とを含むことを特徴とする光ディスク装置。
【請求項７】
前記ケーシングよりも熱伝導率の高い材料から成り、ケーシングの表面部に設けられる放熱部を含み、
前記冷却手段は、ケーシングおよび放熱部に向かって送風する送風手段であることを特徴とする請求項６記載の光ディスク装置。
【請求項８】
放熱部の外表面部のうち少なくとも一部は、凸凹状に形成されることを特徴とする請求項７記載の光ディスク装置。
【発明の詳細な説明】
【技術分野】
【０００１】
本発明は、ディスク状記録媒体に対して、情報を記録する記録処理、記録された情報を読み出す読出処理、記録された情報を消去する消去処理のうち、少なくともいずれか１つを実行可能な光ディスク装置に関する。
【背景技術】
【０００２】
光ディスクに対して、たとえば情報を記録するときに、光ピックアップ装置のハウジングに設けられるレーザ素子およびレーザ素子を駆動するドライバ素子は、発熱する。レーザ素子およびドライバ素子は、対物レンズなどの光学部品とともに、光ディスクのラジアル方向に移動可能なハウジングに設けられる。レーザ素子とドライバ素子との距離が遠くなると、レーザ素子とドライバ素子とを電気的に接続する配線の距離が長くなり、レーザ素子は、電気的なノイズの影響を受けやすくなる。したがって、電気的なノイズを受けにくくするために、レーザ素子とドライバ素子とは、近接して前記ハウジングに配置される。レーザ素子およびドライバ素子は、近接してハウジングに配置されるので、一方の素子の温度が高くなると、ハウジングを介して他方の素子の温度も上昇する。したがって、レーザ素子とドライバ素子とが近接してハウジングに配置されると、光ディスクに対して、たとえば情報を記録するときに、レーザ素子およびドライバ素子の温度は、レーザ素子とドライバ素子とを離れてハウジングに配置する場合に比べて高くなる。レーザ素子の温度が上昇すると、レーザ素子のスロープ効率が低下したり、レーザ素子の寿命が短くなったりするなど、レーザ素子に悪影響を及ぼすおそれがある。したがって、レーザ素子の温度上昇を抑制するために、レーザ素子およびドライバ素子の放熱対策が必要となる。
【０００３】
第１の従来の技術のディスク装置では、ドライバ素子であるレーザドライバＩＣの表面とレーザドライバＩＣが配置される金属製のハウジングである可動筐体とを熱伝導性が高い熱伝導部材を用いて接続することによって、レーザドライバＩＣに生じる熱を可動筐体に効率良く伝えることができる。これによってレーザドライバＩＣの温度上昇を抑制することができる（たとえば特許文献１参照）。
【０００４】
第２の従来の技術の読取ヘッドでは、半導体レーザおよびレーザ駆動のための半導体素子が配置されるハウジングである移動ベースの放熱効果を大きくすることによって、半導体レーザおよびレーザ駆動のための半導体素子の温度上昇を抑制することができる（たとえば特許文献２参照）。
【０００５】
第３の従来の技術では、レーザ素子およびドライバ素子が配置されるハウジングの一表面部に、凹凸状に形成される放熱部を形成することによって、ハウジングの放熱効果を大きくしている。これによって、レーザ素子およびドライバ素子の温度上昇を抑制することができる（たとえば特許文献３参照）。
【０００６】
【特許文献１】特開２００２−１２４０７５号公報
【特許文献２】特開２０００−２４２９５３号公報
【特許文献３】特開２００４−１５２４０８号公報
【発明の開示】
【発明が解決しようとする課題】
【０００７】
光ディスクに情報を記録するときの記録速度の向上、および光ピックアップ装置の小型化が望まれている。光ディスクに情報を記録するためには、光ディスクの情報を記録する部分にレーザ素子から出射される光を照射し、照射した部分の温度を予め定める温度にする必要がある。そのため、レーザ素子から出射される光の出力を上げ、光ディスクの光を照射する部分の温度を、より短時間で予め定める温度にすることによって、記録速度を向上することができる。記録速度を向上するためには、レーザ素子から出射される光の光強度を上げることが必要となるので、レーザ素子およびドライバ素子の発熱量が大きくなる傾向にある。
【０００８】
また、たとえばノート型パーソナルコンピュータに光ディスク装置を内蔵するために、光ピックアップ装置の小型化が図られている。光ピックアップ装置を小型化するためには、レーザ素子およびドライバ素子が配置されるハウジングの体積を小さくする必要がある。したがって、ハウジングの体積が小さくなり、ハウジングの放熱効果が小さくなる傾向にある。
【０００９】
以上述べたように、レーザ素子およびドライバ素子の発熱量が大きくなる一方、ハウジングの放熱効果が小さくなる傾向にある。そのため、レーザ素子およびドライバ素子が設けられるハウジングの温度が上昇する傾向にある。
【００１０】
前述の第１の従来の技術では、可動筐体の温度が上昇するので、レーザドライバＩＣに生じる熱が可動筐体に伝わりにくくなり、レーザドライバＩＣの温度が上昇してしまうおそれがある。またレーザドライバ素子の温度が上昇すると、その熱が可動筐体を介してレーザ素子に伝わり、レーザ素子の温度がさらに上昇する。また、前述の第２および第３の従来の技術では、ハウジングの温度が上昇するので、レーザ素子およびドライバ素子に生じる熱がハウジングに伝わりにくくなり、レーザ素子およびドライバ素子の温度が上昇してしまうおそれがある。レーザ素子の温度が上昇すると、レーザ素子のスロープ効率が低下したり、レーザ素子の寿命が短くなったりするなど、レーザ素子に悪影響を及ぼすおそれがある。
【００１１】
また、前述の第１の従来の技術では、レーザドライバＩＣに発生する熱をハウジングに伝え、前述の第２および第３の従来の技術では、レーザ素子およびドライバ素子に発生する熱をハウジングに伝えるので、ハウジングの温度が上昇する。ハウジングの温度が上昇すると、レーザ素子の温度も上昇する。レーザ素子の温度が上昇すると、レーザ素子のスロープ効率が低下したり、レーザ素子の寿命が短くなったりするなど、レーザ素子に悪影響を及ぼすおそれがある。
【００１２】
したがって本発明の目的は、レーザ素子の温度上昇を抑制することによって、レーザ素子のスロープ効率の低下を抑制し、装置寿命の長い光ディスク装置を提供することである。
【課題を解決するための手段】
【００１３】
本発明は、ディスク状記録媒体に光を照射することによって、ディスク状記録媒体に情報を記録する記録処理、ディスク状記録媒体に記録された情報を読み出す読出処理、およびディスク状記録媒体に記録された情報を消去する消去処理のうち、少なくともいずれか１つを実行可能な光ディスク装置であって、
ディスク状記録媒体を保持する保持面を有する保持手段と、
保持手段を保持面に垂直な軸線まわりに回転する回転手段と、
保持手段に保持されるディスク状記録媒体に照射されるべき光を発生するレーザ素子、レーザ素子を駆動するドライバ素子、およびレーザ素子とドライバ素子とが設けられ、保持手段の前記軸線を中心とする半径方向に移動可能な基台を有する光ピックアップ手段とを含み、
レーザ素子およびドライバ素子のうち少なくともいずれか一方は、基台とともに移動する移動範囲の全領域にわたって、保持面を含む仮想一平面側に露出するように設けられることを特徴とする光ディスク装置である。
【００１４】
本発明に従えば、レーザ素子およびドライバ素子のうち少なくともいずれか一方は、基台とともに移動する移動範囲の全領域にわたって、保持面を含む仮想一平面側に露出する。換言すると、ディスク状記録媒体を保持面に配置したときに、ディスク状記録媒体と、レーザ素子およびドライバ素子のうち少なくともいずれか一方との間には、ガスのみが介在する。保持手段を回転手段によって回転させると、ディスク状記録媒体が回転し、ディスク状記録媒体の雰囲気ガスが流動する。ディスク状記録媒体と、レーザ素子およびドライバ素子のうち保持面を含む仮想一平面側に露出する素子との間には、ディスク状記録媒体の雰囲気ガスの流れを遮るものがないので、ディスク状記録媒体の雰囲気ガスが流動することによって、レーザ素子およびドライバ素子のうち保持面を含む仮想一平面側に露出する素子の雰囲気ガスが拡散する。
【００１５】
また本発明は、前記光ピックアップ手段は、レーザ素子から出射する光を保持手段に保持されるディスク状記録媒体に集光し、基台に設けられる対物レンズを有し、
対物レンズが、基台とともに移動する移動範囲の全領域にわたって、保持面を含む仮想一平面側に露出する開口が形成され、光ピックアップ手段の一部を覆うカバー体を含み、
レーザ素子およびドライバ素子のうち少なくともいずれか一方は、基台とともに移動する移動範囲の全領域にわたって、カバー体の開口から保持面を含む仮想一平面側に露出することを特徴とする。
【００１６】
本発明に従えば、光ピックアップ手段の一部は、カバー体によって覆われる。光ピックアップ手段の一部をカバー体で覆うことによって、光ピックアップ手段を塵埃から保護することができる。
【００１７】
また本発明は、ディスク状記録媒体に光を照射することによって、ディスク状記録媒体に情報を記録する記録処理、ディスク状記録媒体に記録された情報を読み出す読出処理、およびディスク状記録媒体に記録された情報を消去する消去処理のうち、少なくともいずれか１つを実行可能な光ディスク装置であって、
ディスク状記録媒体を保持する保持面を有する保持手段と、
保持手段に保持されるディスク状記録媒体に照射されるべき光を発生するレーザ素子、およびレーザ素子を駆動するドライバ素子を有する光ピックアップ手段と、
保持手段および光ピックアップ手段を収容するケーシングと、
ケーシング内のガスを流動化する流動化手段とを含むことを特徴とする光ディスク装置である。
【００１８】
本発明に従えば、流動化手段によってケーシング内のガスを流動化し、ケーシング内のガスを攪拌することができる。たとえばディスク状記録媒体に情報を記録するときに、レーザ素子およびドライバ素子が発熱するので、レーザ素子の雰囲気ガスおよびドライバ素子の雰囲気ガスは、ケーシング内のガスの平均温度よりも高くなる。したがって、ケーシング内のガスを攪拌し、レーザ素子の雰囲気ガスおよびドライバ素子の雰囲気ガスを拡散することによって、レーザ素子の雰囲気ガスおよびドライバ素子の雰囲気ガスの温度上昇を抑制することができる。
【００１９】
また本発明は、前記流動化手段は、レーザ素子およびドライバ素子のうち少なくともいずれか一方に向かって送風する送風手段であることを特徴とする。
【００２０】
本発明に従えば、送風手段は、レーザ素子およびドライバ素子のうち少なくともいずれか一方に向かって送風する。たとえばディスク状記録媒体に情報を記録するときに、レーザ素子およびドライバ素子が発熱するので、レーザ素子の雰囲気ガスおよびドライバ素子の雰囲気ガスは、ケーシング内のガスの平均温度よりも高くなる。したがって、レーザ素子の雰囲気ガスおよびドライバ素子の雰囲気ガスの温度と比較して、温度の低いケーシング内のガスを送風手段によって送風することによって、レーザ素子およびドライバ素子のうち送風される素子の雰囲気ガスの温度上昇を抑制することができる。
【００２１】
また本発明は、前記流動化手段は、レーザ素子およびドライバ素子に向かって送風する送風手段であり、
レーザ素子およびドライバ素子のうち、より冷却すべき一方を、他方に対して、送風手段の送風方向の上流となるようにレーザ素子、ドライバ素子および送風手段を設けることを特徴とする。
【００２２】
本発明に従えば、レーザ素子およびドライバ素子のうち、より冷却すべき一方を、他方に対して、送風手段の送風方向の上流となるようにレーザ素子、ドライバ素子および送風手段が設けられるので、他方の素子の雰囲気ガスは、一方の素子に向かって流れにくくなる。他方の素子の温度が上昇することによって、他方の素子の雰囲気ガスの温度が上昇したときに、他方の素子の雰囲気ガスが、一方の素子に向かって流れると、一方の素子の雰囲気ガスの温度が上昇し、一方の素子の温度が上昇してしまう。本発明では、他方の素子の雰囲気ガスが、より冷却すべき一方の素子に向かって流れにくいので、より冷却すべき一方の素子は、他方の素子の雰囲気ガスの温度が上昇することによる影響を受けにくくなる。
【００２３】
また本発明は、ディスク状記録媒体に光を照射することによって、ディスク状記録媒体に情報を記録する記録処理、ディスク状記録媒体に記録された情報を読み出す読出処理、およびディスク状記録媒体に記録された情報を消去する消去処理のうち、少なくともいずれか１つを実行可能な光ディスク装置であって、
ディスク状記録媒体を保持する保持面を有する保持手段と、
保持手段に保持されるディスク状記録媒体に照射されるべき光を発生するレーザ素子、およびレーザ素子を駆動するドライバ素子を有する光ピックアップ手段と、
保持手段および光ピックアップ手段を収容するケーシングと、
ケーシングを冷却する冷却手段とを含むことを特徴とする光ディスク装置である。
【００２４】
本発明に従えば、ケーシングを冷却する冷却手段によって、ケーシングを冷却することができる。
【００２５】
また本発明は、前記ケーシングよりも熱伝導率の高い材料から成り、ケーシングの表面部に設けられる放熱部を含み、
前記冷却手段は、ケーシングおよび放熱部に向かって送風する送風手段であることを特徴とする。
【００２６】
本発明に従えば、ケーシングの表面部に、ケーシングよりも熱伝導率の高い材料から成る放熱部を含むので、ケーシングの放熱効果が高くなる。
【００２７】
また、送風手段は、ケーシングおよび放熱部に向かって送風するので、ケーシングの放熱効果がより高くなる。
【００２８】
また本発明は、放熱部の外表面部のうち少なくとも一部は、凸凹状に形成されることを特徴とする。
【００２９】
本発明に従えば、放熱部の外表面部のうち少なくとも一部は、凸凹状に形成されるので、放熱部の表面積が大きくなる。放熱部の表面積が大きくなると、放熱部の放熱効果が高くなる。さらに、放熱部の表面積が大きくなると、送風手段によって送風される風を受け放熱部の面積が大きくなるので、放熱部の放熱効果は、より高くなる。
【発明の効果】
【００３０】
本発明によれば、ディスク状記録媒体が回転することによって、ディスク状記録媒体の雰囲気ガスが流動ので、レーザ素子およびドライバ素子のうち保持面を含む仮想一平面側に露出する素子の雰囲気ガスが拡散する。レーザ素子およびドライバ素子の発熱によってレーザ素子の雰囲気ガスおよびドライバ素子の雰囲気ガスの温度は上昇するが、レーザ素子およびドライバ素子のうち保持面を含む仮想一平面側に露出する素子の雰囲気ガスが拡散することによって、レーザ素子およびドライバ素子のうち保持面を含む仮想一平面側に露出する素子の雰囲気ガスの温度上昇を抑制することができる。温度上昇を抑制するとは、所定の物体の温度の時間に対する上昇率を低減し、かつ温度上昇が停止したとき、つまり平衡状態に達したときの温度を低減することを意味する。これによって、レーザ素子およびドライバ素子のうち保持面を含む仮想一平面側に露出する素子の温度上昇を抑制することができる。
【００３１】
レーザ素子およびドライバ素子が設けられる基台を介して、ドライバ素子に生じる熱がレーザ素子に伝わるが、ドライバ素子の温度上昇を抑制することによって、ドライバ素子からレーザ素子に伝わる熱量を低減し、レーザ素子の温度上昇を抑制することができる。
【００３２】
また、レーザ素子およびドライバ素子のうち保持面を含む仮想一平面側に露出する素子に生じる熱を素子の雰囲気ガスに伝えることによって、基台に伝わる熱量を低減することができる。基台に伝わる熱量を低減することによって、基台の温度上昇を抑制することができ、レーザ素子の温度上昇を抑制することができる。
【００３３】
レーザ素子の温度上昇を抑制することができるので、レーザ素子の温度上昇によって生じるスロープ効率の低下を抑制することができる。スロープ効率の低下を抑制することができるので、レーザ素子に所定の光強度の光を出力させるときに必要な、レーザ素子への供給電力の上昇を抑制することができる。したがって、レーザ素子に供給する電力を低減することができる。これによって、消費電力が小さい光ディスク装置を実現することができる。また、レーザ素子の温度上昇を抑制することができるので、レーザ素子の寿命が長くなる。したがって、装置寿命の長い光ディスク装置を実現することができる。
【００３４】
また本発明によれば、光ピックアップ手段を塵埃から保護することができる。光ピックアップ手段に塵や埃が入ると、レーザ素子から出射される光の光路が変化したり、ディスク状記録媒体に照射される光強度が小さくなるおそれがある。レーザ素子から出射される光の光路が変化したり、ディスク状記録媒体に照射される光強度が小さくなると、たとえばディスク状記録媒体に情報を記録するときに、予め定める情報を、ディスク状記録媒体に記録することができなくなるおそれが生じたり、ディスク状記録媒体に記録された情報を読み出すときに、記録された情報と異なる情報を読み出したりするおそれが生じる。本発明では、光ピックアップ手段を塵埃から保護することによって、光ピックアップ手段に予め定める光路を通る光学系を設けることができ、予め定める光強度の光をディスク状記録媒体に照射することができるので、たとえばディスク状記録媒体に予め定める情報を正確に記録し、ディスク状記録媒体に記録された情報を正確に読み出すことができる光ディスク装置を実現することができる。
【００３５】
また本発明によれば、ケーシング内のガスを攪拌し、レーザ素子の雰囲気ガスおよびドライバ素子の雰囲気ガスを拡散することによって、レーザ素子の雰囲気ガスおよびドライバ素子の雰囲気ガスの温度上昇を抑制することができる。したがって、レーザ素子およびドライバ素子の温度上昇を抑制することができる。レーザ素子の温度上昇を抑制することができるので、消費電力が小さく、装置寿命の長い光ディスク装置を実現することができる。
【００３６】
また本発明によれば、レーザ素子およびドライバ素子のうち送風手段によって送風される素子の雰囲気ガスの温度上昇を抑制することができる。したがって、レーザ素子およびドライバ素子のうち送風手段によって送風される素子の温度上昇を抑制することができる。
【００３７】
レーザ素子およびドライバ素子が設けられる基台を介して、ドライバ素子の熱がレーザ素子に伝わるが、ドライバ素子の温度上昇を抑制することによって、レーザ素子に伝わる熱量を低減し、レーザ素子の温度上昇を抑制することができる。また、レーザ素子およびドライバ素子のうち保持面を含む仮想一平面側に露出する素子に生じる熱を素子の雰囲気ガスに放散することによって、基台に伝わる熱量を低減することができる。基台に伝わる熱量を低減することによって、基台の温度上昇を抑制することができ、レーザ素子の温度上昇を抑制することができる。レーザ素子の温度上昇を抑制することができるので、消費電力が小さく、装置寿命の長い光ディスク装置を実現することができる。
【００３８】
また本発明によれば、レーザ素子およびドライバ素子のうち、より冷却すべき一方の素子は、他方の素子の温度上昇の影響を受けにくくなる。したがって、より冷却すべき一方の素子の温度上昇をより抑制することができる。
【００３９】
また本発明によれば、ケーシングを冷却することができるので、ケーシング内のガスを冷却することができる。ケーシング内のガスを冷却すると、レーザ素子およびドライバ素子を冷却することができる。レーザ素子の温度上昇を抑制することができるので、消費電力が小さく、装置寿命の長い光ディスク装置を実現することができる。
【００４０】
また本発明によれば、ケーシングの表面部に、ケーシングよりも熱伝導率の高い材料から成る放熱部を含むので、ケーシングの放熱効果が高くなる。また、送風手段は、ケーシングおよび放熱部に向かって送風するので、ケーシングの放熱効果がより高くなる。ケーシングの放熱効果が高くなるので、ケーシングの温度上昇を抑制し、ケーシング内のガスの温度上昇を抑制することができる。ケーシング内のガスの温度上昇を抑制することができるので、レーザ素子およびドライバ素子の温度上昇を抑制することができる。レーザ素子の温度上昇を抑制することができるので、消費電力が小さく、装置寿命の長い光ディスク装置を実現することができる。
【００４１】
また本発明によれば、放熱部の表面積が大きくなるので、放熱部の放熱効果が大きくなる。放熱部の放熱効果が大きくなるので、ケーシングの温度上昇をより抑制し、ケーシング内のガスの温度上昇をより抑制することができる。ケーシング内のガスの温度上昇を抑制することができるので、レーザ素子およびドライバ素子の温度上昇を抑制することができる。レーザ素子の温度上昇を抑制することができるので、消費電力が小さく、装置寿命の長い光ディスク装置を実現することができる。
【発明を実施するための最良の形態】
【００４２】
図１は、本発明の第１の実施の形態の光ディスク装置１を模式化して示す断面図であり、図２は図１の切断面線ＩＩ−ＩＩから見た光ディスク装置１を模式化して示す断面図である。光ディスク装置１は、光ピックアップ手段１１と、保持手段１２と、回転手段１５と、カバー体１６と、配置体１７と、ケーシング１８とを含んで構成される。
【００４３】
光ピックアップ手段１１と、保持手段１２と、回転手段１５と、カバー体１６と、配置体１７とは、ケーシング１８に収容される。ケーシング１８は、略直方体形状である。
【００４４】
保持手段１２は、第１保持部１３と第２保持部１４とを含んで構成される。第１保持部１３および第２保持部１４は、円柱形状である。第１保持部１３の直径は、第２保持部１４の直径よりも大きい。第１保持部１３の軸線と第２保持部１４の軸線とが一致するように、第２保持部１４は、第１保持部１３の一表面３１上に配置される。保持手段１２は、ディスク状記録媒体２１を保持する。ディス状記録媒体２１は、円環形状である。ディスク状記録媒体２１は、コンパクトディスク（Compact Disk：略称ＣＤ）、ＣＤ−ＲＯＭ（ＣＤ-Read Only Memory）、ＣＤ−Ｒ（ＣＤ−Recordable）、ＣＤ−ＲＷ（ＣＤ−
ReWritable）、デジタルバーサタイルディスク（Digital Versatile Disk：略称ＤＶＤ）、ＤＶＤ−ＲＯＭ、ＤＶＤ−Ｒ、ＤＶＤ−ＲＷ、ＤＶＤ＋Ｒ、ＤＶＤ＋ＲＷ、ＤＶＤ−ＲＡＭ、ＢＤ（Blue ray Disc）、およびＨＤ−ＤＶＤ（High Definition−ＤＶＤ）などである。保持手段１２は、保持面３２を有し、ディスク状記録媒体２１の厚み方向他表面のうち、ディスク状記録媒体２１の孔に臨む周縁部を、保持面３２で支えることによって、ディスク状記録媒体２１を保持する。保持面３２とは、第１保持部１３の軸線方向一表面３１のうち、第２保持部１４と接する部分を除く残余の表面である。保持手段１２は、回転手段１５と物理的に接続される。保持手段１２は、回転手段１５によって第１保持部１３および第２保持部１４の軸線まわりに回転する。この軸線を回転軸Ｌと記載する。保持手段１２が回転することによって、ディスク状記録媒体２１は、回転軸Ｌを中心に回転する。回転軸Ｌ線方向を第１方向Ｚと定義する。第１方向Ｚに垂直で、ケーシング１８の対角線に延びる一方向を第２方向Ｘと定義し、第１方向Ｚおよび第２方向Ｘに垂直な方向を第３方向Ｙと定義する。
【００４５】
光ピックアップ手段１１は、レーザ素子２２と、ドライバ素子２３と、受光素子２４と、光学部品と、基台２５と、アクチュエータ２６とを含んで構成される。基台２５は、たとえば亜鉛合金、アルミニウム合金またはマグネシウム合金等から成る。レーザ素子２２と、レーザ素子２２を駆動するドライバ素子２３と、受光素子２４とは、基台２５に実装される。レーザ素子２２とドライバ素子２３とは、電気的に接続される。基台２５には、配線が形成された基板が実装されており、レーザ素子２２、ドライバ素子２３、および受光素子２４は、基板の配線と電気的に接続される。レーザ素子２２とドライバ素子２３とは、基板の配線を介して電気的に接続される。レーザ素子２２は、基台２５の周縁部３３に配置される。レーザ素子２２の、保持面３２を含む仮想一平面に臨む表面が、この仮想一平面側に露出するように、レーザ素子２２は、基台２５に設けられる。ドライバ素子２３は、基台２５の第１方向Ｚの一表面部３４に配置される。基台２５の第１方向Ｚの一表面部３４とは、保持面３２を含む仮想一平面に臨む基台２５の表面部である。
【００４６】
基台２５には、光学部品およびアクチュエータ２６が搭載されている。光学部品は、コリメータレンズ２７と、ビームスプリッタ４１と、偏光板４２と、立上げミラー４３と、対物レンズ４４と、レンズホルダ４５とを含んで構成される。ビームスプリッタ４１は、入射面に平行な直線偏光を反射し、入射面に垂直な直線偏光を透過するように配置される。入射面とは、光が媒質の境界面に入射するときに、入射光線と、入射点における境界面の法線とを含む平面である。レーザ素子２２は、出射する光の偏光方向が、出射する光の光軸方向および第１方向Ｚに垂直な方向となるように設けられる。光学部品は、レーザ素子２２とディスク状記録媒体２１との間の光軸上に配置される。対物レンズ４４は、レンズホルダ４５に保持される。レンズホルダ４５に保持される対物レンズ４４は、アクチュエータ２６によって駆動制御されるように構成され、アクチュエータ２６によって対物レンズ４４の位置が調整されるようになっている。
【００４７】
ディスク状記録媒体２１に情報を記録する場合、またはディスク状記録媒体２１に記録された情報を消去する場合、ディスク状記録媒体２１にレーザ素子２２から出射される光を照射する。まず、レーザ素子２２から出射した光は、コリメータレンズ２７を通過し、平行光となる。次に、コリメータレンズ２７を通過した光は、ビームスプリッタ４１に入射する。ビームスプリッタ４１に入射する光の偏光方向は、入射面に対して平行なので、入射光は、ビームスプリッタ４１によって反射され、偏光板４２を通過する。偏光板４２を通過した光は、直線偏光から、円偏光となる。次に、偏光板４２を通過した光は、立上げミラー４３によって第１方向Ｚに反射され、対物レンズ４４を通過する。対物レンズ４４を通過した光は、集束光となり、ディスク状記録媒体２１の一点に集光する。以上述べたように、ディスク状記録媒体２１にレーザ素子２２から出射される光を照射することによって、ディスク状記録媒体２１に情報を記録、またはディスク状記録媒体２１に記録された情報を消去することができる。
【００４８】
ディスク状記録媒体２１に記録された情報を読み出す場合、ディスク状記録媒体２１に照射した光が、ディスク状記録媒体２１によって反射され、その反射光を検出することによって、情報を読み出す。まず、前述したようにレーザ素子２２から出射した光は、ディスク状記録媒体２１の一点に集光し、反射される。次に、ディスク状記録媒体２１によって反射された光は、対物レンズ４４を再び通過することによって平行光となる。次に、対物レンズ４４を通過した光は、立上げミラー４３によって反射される。次に、反射された光は、偏光板４２を通過することによって、円偏光から直線偏光となる。偏光板４２を通過した光の偏光方向は、レーザ素子から出射される光の偏光方向に垂直である。次に、偏光板４２を通過した光は、ビームスプリッタ４１によって反射されることなく透過し、受光素子２４に至る。受光素子２４に至る光は、受光素子２４によって光信号から電気信号へと変換され、ディスク状記録媒体２１に記録された情報を読み出すことができる。また、受光素子２４によって得られる電気信号は、アクチュエータ２６によって対物レンズ４４を駆動制御するためのサーボ信号として利用される。
【００４９】
光ピックアップ手段１１は、第１軸受部４６Ａ、第２軸受部４６Ｂおよび第３軸受部４６Ｃを有する。第１軸受部４６Ａおよび第２軸受部４６Ｂは、基台２５の第３方向Ｙの一方に配置される。第３軸受部４６Ｃは、基台２５の第３方向Ｙの他方に配置される。光ピックアップ手段１１は、第１軸受部４６Ａと第２軸受部４６Ｂとを通る第１軸部４７Ａと、第３軸受部４６Ｃを通る第２軸部４７Ｂとによって支持される。第１および第２軸部４７Ａ，４７Ｂは、各軸線の延びる方向に移動しなようにケーシング１８に設けられる。第１軸部４７Ａと第２軸部４７Ｂとは、第２方向Ｘに平行に延びる。光ディスク装置１は、第１軸部４７Ａを軸線まわりに回転させる軸部回転手段を含む。第１軸受部４６Ａおよび第２軸受部４６Ｂには、雌ねじが形成され、第１軸部４７Ａには、前記雌ねじに羅合される雄ねじが形成されている。これによって、軸部回転手段によって第１軸部４７Ａが軸線まわりに回転すると、第１軸受部４６Ａと第２軸受部４６Ｂとは、第２方向Ｘに平行に移動する。すなわち、第１軸部４７Ａが軸線まわりに回転すると、基台２５は、第２方向Ｘに平行に移動する。基台２５の移動する方向を移動方向Ｍと記載する。対物レンズ４４は、基台２５が移動方向Ｍに移動するときに、回転軸Ｌを通り、移動方向Ｍに延びる直線上を移動するように、基台２５に設けられている。第１方向Ｚの一方側から見て、基台２５とともに移動する対物レンズ４４は、ディスク状記録媒体２１を保持手段１２に配置したときに、ディスク状記録媒体２１のうち、ディスク状記録媒体２１の情報が記録されている領域およびディスク状記録媒体２１に情報を記録することができる領域の、少なくとも最内周と最外周との間にわたって移動することができる。
【００５０】
ディスク状記録媒体２１が回転し、基台２５とともに移動する対物レンズ４４が移動方向Ｍに移動することによって、ディスク状記録媒体２１に情報が記録されている全領域およびディスク状記録媒体２１に情報を記録することができる全領域にわたって、ディスク状記録媒体２１に光を照射することができる。
【００５１】
光ピックアップ手段１１の一部は、保持面３２を含む仮想一平面と光ピックアップ手段１１との間に設けられるカバー体１６によって覆われる。カバー体１６は、板金などによって形成される。光ピックアップ手段１１の一部をカバー体１６で覆うことによって、光ピックアップ手段１１を塵埃から保護する。また、カバー体１６の第１方向Ｚの一表面３５を含む仮想平面のうち、カバー体１６の周縁３６とケーシング１８との間には、基板などを搭載するための配置体１７が形成されている。
【００５２】
カバー体１６には、保持手段１２から、この保持手段１２の半径方向外方に向かって延びる開口が形成されている。対物レンズ４４およびレーザ素子２２は、基台２５とともに移動する全領域にわたって、前記開口から、保持面３２を含む仮想一平面側に露出するように、基台２５に設けられる。換言すると、対物レンズ４４およびレーザ素子２２が、基台２５とともに移動する全領域にわたって、ディスク状記録媒体２１とレーザ素子２２との間、およびディスク状記録媒体２１と対物レンズ４４との間には、ガスのみが介在する。ガスとは、たとえば常温の空気である。レーザ素子２２は、基台２５の移動方向Ｍの一方側の周縁部３３に配置される。レーザ素子２２は、基台２５の第１方向Ｚの一表面３７と他表面３８との間に配置される。レーザ素子２２の配置される基台２５の周縁部３３には、レーザ素子２２の、保持面３２を含む仮想一平面に臨む表面が、基台２５の第１方向Ｚの一表面３７に露出するように、開口が形成されている。換言すると、レーザ素子２２の、保持面３２を含む仮想一平面に臨む表面を除く残余の表面は、基台２５に覆われ、基台２５を第１方向Ｚの一方側から見たときに、レーザ素子２２が目視可能である。カバー体１６の開口部５１のうち、ディスク状記録媒体２１の回転方向上流側で、開口に臨む第１開口端５２と、ディスク状記録媒体２１の回転方向下流側で、開口に臨む第２開口端５３との間は、予め定める幅Ｗに選ばれる。カバー体１６に開口が形成されているので、前述したように、レーザ素子２２から出射した光は、対物レンズ４４を通って、ディスク状記録媒体２１に照射される。基台２５と共に移動するドライバ素子２３は、カバー体１６によって覆われるように基台２５に配置される。換言すると、ドライバ素子２３は、基台２５と共に移動する移動範囲の全領域にわたって、前記開口から、保持面３２を含む仮想一平面側に露出しないように、基台２５に設けられる。
【００５３】
以上述べたように、レーザ素子２２は、基台２５とともに移動する移動範囲Ｒの全領域にわたって、前記カバー体１６の開口から、保持面３２を含む仮想一平面側に露出する。たとえばディスク状記録媒体２１に情報を記録するときに、ディスク状記録媒体２１は、回転軸Ｌまわりに回転し、レーザ素子２２は、発熱する。レーザ素子２２に生じる熱は、レーザ素子２２の雰囲気ガスに伝わり、レーザ素子２２の雰囲気ガスの温度が上昇する。レーザ素子２２の雰囲気ガスとは、ケーシング１８内のガスのうち、レーザ素子２２を外囲するレーザ素子２２寄りのガスのことである。ディスク状記録媒体２１が回転することによって、ディスク状記録媒体２１の雰囲気ガスが流動する。ディスク状記録媒体２１とレーザ素子２２との間には、ディスク状記録媒体２１の雰囲気ガスの流れを遮るものがないので、ディスク状記録媒体２１の雰囲気ガスが流動すると、レーザ素子２２の雰囲気ガスが拡散する。換言すると、ディスク状記録媒体２１からレーザ素子２２に風が送られる。レーザ素子２２の雰囲気ガスを拡散することによって、レーザ素子２２の雰囲気ガスの温度上昇を抑制することができる。温度上昇を抑制するとは、所定の物体の温度の時間に対する上昇率を低減し、かつ温度上昇が停止したとき、つまり平衡状態に達したときの温度を低減することを意味する。レーザ素子２２の雰囲気ガスの温度上昇を抑制することによって、レーザ素子２２からレーザ素子２２の雰囲気ガスに伝わる熱量を大きくすることができるので、レーザ素子２２を冷却することができる。これによって、レーザ素子２２の温度上昇を抑制することができる。
【００５４】
レーザ素子２２の温度上昇を抑制することができるので、レーザ素子２２の温度上昇によって生じるスロープ効率の低下を抑制することがでる。スロープ効率の低下を抑制することができるので、レーザ素子２２に所定の光強度の光を出力させるときに必要な、レーザ素子２２への供給電力の上昇を抑制することができる。これによって、レーザ素子２２に供給する電力を低減することができる。したがって、消費電力が小さい光ディスク装置１を実現することができる。また、レーザ素子２２の温度上昇を抑制することができるので、レーザ素子２２の寿命が長くなる。したがって、装置寿命の長い光ディスク装置１を実現することができる。
【００５５】
また、レーザ素子２２に生じる熱を、レーザ素子２２の雰囲気ガスに伝えることによって、レーザ素子２２から基台２５に伝わる熱量を低減することができる。レーザ素子２２から基台２５に伝わる熱量を低減することができるので、基台２５の温度上昇を抑制することができる。
【００５６】
基台２５には、レーザ素子２２およびドライバ素子２３の他に、光学部品が配置されている。この光学部品は、接着剤によって、光学部品に歪を与えないように基台２５に接着されている。本実施の形態では、接着剤に紫外線硬化樹脂を用いている。基台２５の温度が上昇すると、光学部品を基台２５に接着している紫外線硬化樹脂の特性が変化する。紫外線硬化樹脂の特性が変化すると、光学部品の位置が、光学部品を基台２５に配置したときの位置から変位する場合がある。また、紫外線硬化樹脂の特性が変化すると、基台２５に配置した光学部品に応力が加わり、光学部品に歪が生じる場合がある。光学部品の位置が変位したり、光学部品に歪が生じると、レーザ素子２２から出射される光の光路が変化する。レーザ素子２２から出射される光の光路が変化すると、たとえばディスク状記録媒体２１に情報を記録するときに、予め定める情報を、ディスク状記録媒体２１に記録することができなくなるおそれが生じたり、ディスク状記録媒体２１に記録された情報を読み出すときに、記録された情報と異なる情報を読み出したりするおそれが生じる。本実施の形態では、基台２５の温度上昇を抑制することができるので、光ピックアップ手段１１に予め定める光路を通る光学系を設けることができ、たとえばディスク状記録媒体２１に予め定める情報を正確に記録し、ディスク状記録媒体２１に記録された情報を正確に読み出すことができる光ディスク装置１を実現することができる。
【００５７】
また、レーザ素子２２の、保持面３２を含む仮想一平面に臨む表面を除く残余の表面は、基台２５に覆われるので、レーザ素子２２は、基台２５によって保護される。したがって、レーザ素子を基台２５に配置した後に、たとえば人間の手がレーザ素子２２に触れることは無く、レーザ素子２２の配置位置が変位することはない。
【００５８】
図３は、本発明の第２の実施の形態の光ディスク装置２を模式化して示す断面図である。光ディスク装置２は、光ピックアップ手段６１と、保持手段１２と、回転手段１５と、カバー体１６と、配置体１７と、ケーシング１８とを含んで構成される。本実施の形態の光ディスク装置２は、前述の第１の実施の形態の光ディスク装置１とレーザ素子２２、受光素子２４、コリメータレンズ２７、およびドライバ素子の配置位置と、ビームスプリッタ４１とが異なる構成であり、対応する部分については同一の参照符号を付して重複する説明を省略する。
【００５９】
カバー体１６には、保持手段１２から、この保持手段１２の半径方向外方に向かって延びる開口が形成されている。対物レンズ４４およびドライバ素子２３が、基台６２とともに移動する移動範囲の全領域にわたって、前記カバー体１６の開口から、保持面３２を含む仮想一平面側に露出するように、基台６２に配置される。換言すると、対物レンズ４４およびドライバ素子２３が、基台６２とともに移動する移動範囲の全領域にわたって、ディスク状記録媒体２１とドライバ素子２３との間、およびディスク状記録媒体２１と対物レンズ４４との間には、ガスのみが介在する。また、レーザ素子２２は、基台６２とともに移動する移動範囲の全領域にわたって、カバー体１６によって覆われるように基台６２に設けられる。換言すると、レーザ素子２２は、基台６２とともに移動する移動範囲の全領域にわたって、前記カバー体１６の開口から、保持面３２を含む仮想一平面側に露出しないように、基台６２に設けられる。
【００６０】
本実施の形態の光ディスク装置２のレーザ素子２２および受光素子２４の配置位置は、前述の第１の実施の形態の光ディスク装置１のレーザ素子２２の配置位置と受光素子２４の配置位置とを交換したものである。つまり、レーザ素子２２は、前述の第１の実施の形態の光ディスク装置１の受光素子２４と同様の配置位置に配置され、受光素子２４は、前述の第１の実施の形態の光ディスク装置１のレーザ素子２２と同様の配置位置に配置される。したがって、前述の第１の実施の形態の光ディスク装置１の、レーザ素子２２から出射される光の光路と、本実施の形態の光ディスク装置２の、レーザ素子２２から出射される光の光路とは、異なる。具体的には、ビームスプリッタ４１は、入射面に垂直な直線偏光を反射し、入射面に平行な直線偏光を透過するように配置される。レーザ素子２２から出射され、ディスク状記録媒体２１に向かう光は、ビームスプリッタ４１によって反射されず、ビームスプリッタ４１を透過する。また、ディスク状記録媒体２１によって反射される光は、ビームスプリッタ４１を透過せず、ビームスプリッタ４１によって反射される。
【００６１】
以上述べたように、ドライバ素子２３は、基台６２とともに移動する移動範囲の全領域にわたって、前記カバー体１６の開口から、保持面３２を含む仮想一平面側に露出する。たとえばディスク状記録媒体２１に情報を記録するときに、ディスク状記録媒体２１は、回転軸Ｌまわりに回転し、ドライバ素子２３は、発熱する。ドライバ素子２３に生じる熱は、ドライバ素子２３の雰囲気ガスに伝わり、ドライバ素子２３の雰囲気ガスの温度が上昇する。ドライバ素子２３の雰囲気ガスとは、ケーシング１８内のガスのうち、ドライバ素子２３を外囲するドライバ素子２３寄りのガスのことである。ディスク状記録媒体２１が回転することによって、ディスク状記録媒体２１の雰囲気ガスが流動する。ディスク状記録媒体２１とドライバ素子２３との間には、ディスク状記録媒体２１の雰囲気ガスの流れを遮るものがないので、ディスク状記録媒体２１の雰囲気ガスが流動すると、ドライバ素子２３の雰囲気ガスが拡散する。換言すると、ディスク状記録媒体２１からドライバ素子２３に風が送られる。ドライバ素子２３の雰囲気ガスを拡散することによって、ドライバ素子２３の雰囲気ガスの温度上昇を抑制することができる。ドライバ素子２３の雰囲気ガスの温度上昇を抑制することによって、ドライバ素子２３に生じる熱をドライバ素子２３の雰囲気ガスに伝えやすくすることができ、ドライバ素子２３を冷却することができる。これによって、ドライバ素子２３の温度上昇を抑制することができる。
【００６２】
レーザ素子２２とドライバ素子２３とは、基台６２に設けられるので、ドライバ素子２３の温度が上昇すると、ドライバ素子２３の熱が基台６２を介してレーザ素子２２に伝わり、レーザ素子２２の温度も上昇するが、本実施の形態では、ドライバ素子２３の温度上昇を抑制することができるので、ドライバ素子２３からレーザ素子２２へ伝わる熱量を低減することができる。これによって、レーザ素子２２の温度上昇を抑制することができる。レーザ素子２２の温度上昇を抑制することができるので、消費電力が小さく、装置寿命の長い光ディスク装置２を実現することができる。
【００６３】
また、レーザ素子２２とドライバ素子２３とが近接して配置される場合、ドライバ素子２３の雰囲気ガスの温度が上昇すると、その熱がレーザ素子２２の雰囲気ガスに伝わり、レーザ素子２２の雰囲気ガスの温度が上昇する。レーザ素子２２の雰囲気ガスの温度が上昇すると、レーザ素子２２に生じる熱がレーザ素子２２の雰囲気ガスに伝わりにくくなり、レーザ素子２２の温度が上昇する。本実施の形態では、ドライバ素子２３の雰囲気ガスの温度上昇を抑制することができるので、レーザ素子２２の雰囲気ガスの温度上昇を抑制し、レーザ素子２２の温度上昇を抑制することができる。レーザ素子２２の温度上昇を抑制することができるので、消費電力が小さく、装置寿命の長い光ディスク装置２を実現することができる。
【００６４】
また、ドライバ素子２３に生じる熱を、ドライバ素子２３の雰囲気ガスに伝えることによって、ドライバ素子２３から基台６２に伝わる熱量を低減することができる。ドライバ素子２３から基台６２に伝わる熱量を低減することができるので、基台６２の温度上昇を抑制することができる。
【００６５】
図４は、本発明の第３の実施の形態の光ディスク装置３を模式化して示す断面図である。光ディスク装置３は、光ピックアップ手段７１と、保持手段１２と、回転手段１５と、カバー体１６と、配置体１７と、ケーシング１８とを含んで構成される。本実施の形態の光ディスク装置３は、前述の第１の実施の形態の光ディスク装置１とドライバ素子２３の配置位置が異なる構成であり、対応する部分については同一の参照符号を付して重複する説明を省略する。
【００６６】
カバー体１６には、保持手段１２から、この保持手段１２の半径方向外方に向かって延びる開口が形成されている。対物レンズ４４、レーザ素子２２、およびドライバ素子２３が、基台７２とともに移動する移動範囲の全領域わたって、保持面３２を含む仮想一平面側に露出するように、基台７２に設けられる。換言すると、対物レンズ４４、レーザ素子２２、およびドライバ素子２３が、基台７２とともに移動する移動範囲の全領域わたって、ディスク状記録媒体２１とドライバ素子２３との間、ディスク状記録媒体２１とレーザ素子２２との間、およびディスク状記録媒体２１と対物レンズ４４との間には、ガスのみが介在する。カバー体１６に開口が形成されているので、前述したように、レーザ素子２２から出射した光は、対物レンズ４４を通って、ディスク状記録媒体２１に照射される。
【００６７】
以上述べたように、対物レンズ４４、レーザ素子２２、およびドライバ素子２３は、基台７２とともに移動する移動範囲の全領域にわたって、前記カバー体１６の開口から、保持面３２を含む仮想一平面側に露出する。たとえばディスク状記録媒体２１に情報を記録するときに、ディスク状記録媒体２１は、回転軸Ｌまわりに回転し、レーザ素子２２およびドライバ素子２３は、発熱する。レーザ素子２２およびドライバ素子２３に生じる熱は、レーザ素子２２の雰囲気ガスおよびドライバ素子２３の雰囲気ガスに伝わり、レーザ素子２２の雰囲気ガスおよびドライバ素子２３の雰囲気ガスの温度が上昇する。ディスク状記録媒体２１が回転することによって、ディスク状記録媒体２１の雰囲気ガスが流動する。ディスク状記録媒体２１とレーザ素子２２との間、ディスク状記録媒体２１とドライバ素子２３との間には、ディスク状記録媒体２１の雰囲気ガスの流れを遮るものがないので、ディスク状記録媒体２１の雰囲気ガスが流動すると、レーザ素子２２の雰囲気ガスおよびドライバ素子２３の雰囲気ガスが拡散する。換言すると、ディスク状記録媒体２１からレーザ素子２２およびドライバ素子２３に風が送られる。レーザ素子２２の雰囲気ガスおよびドライバ素子２３の雰囲気ガスを拡散することによって、レーザ素子２２の雰囲気ガスおよびドライバ素子２３の雰囲気ガスの温度上昇を抑制することができる。レーザ素子２２の雰囲気ガスおよびドライバ素子２３の雰囲気ガスの温度上昇を抑制することによって、レーザ素子２２およびドライバ素子２３に生じる熱をレーザ素子２２の雰囲気ガスおよびドライバ素子２３の雰囲気ガスに伝えやすくすることができるので、レーザ素子２２およびドライバ素子２３を冷却することができる。これによって、レーザ素子２２およびドライバ素子２３の温度上昇を抑制することができる。レーザ素子２２の温度上昇を抑制することができるので、消費電力が小さく、装置寿命の長い光ディスク装置３を実現することができる。
【００６８】
レーザ素子２２とドライバ素子２３とは、基台７２に配置されているので、ドライバ素子２３の温度が上昇すると、基台７２を介してレーザ素子２２の温度も上昇するが、本実施の形態では、ドライバ素子２３の温度上昇を抑制することができるので、レーザ素子２２の温度上昇も抑制することができる。レーザ素子２２の温度上昇を低減することができるので、消費電力が小さく、装置寿命の長い光ディスク装置３を実現することができる。
【００６９】
また、レーザ素子２２とドライバ素子２３とが近接して配置される場合、ドライバ素子２３の雰囲気ガスの温度が上昇すると、ドライバ素子２３の雰囲気ガスの熱がレーザ素子２２の雰囲気ガスに伝わり、レーザ素子２２の雰囲気ガスの温度が上昇する。レーザ素子２２の雰囲気ガスの温度が上昇すると、レーザ素子２２に生じる熱がレーザ素子の雰囲気ガスに伝わりにくくなり、レーザ素子２２の温度が上昇する。本実施の形態では、ドライバ素子２３の温度上昇を抑制することができるので、レーザ素子２２の温度上昇も抑制することができる。レーザ素子２２の温度上昇を低減することができるので、消費電力が小さく、装置寿命の長い光ディスク装置３を実現することができる。
【００７０】
また、レーザ素子２２およびドライバ素子２３に生じる熱を、レーザ素子２２の雰囲気ガスおよびドライバ素子２３の雰囲気ガスに伝えることによって、レーザ素子２２およびドライバ素子２３から基台７２に伝わる熱量を低減することができる。レーザ素子２２およびドライバ素子２３から基台７２に伝わる熱量を低減することができるので、基台７２の温度上昇を抑制することができる。
【００７１】
図５は、本発明の第４の実施の形態の光ディスク装置４を模式化して示す断面図であり、図６は図５の切断面線ＶＩ−ＶＩから見た光ディスク装置４を模式化して示す断面図である。光ディスク装置４は、光ピックアップ手段８１と、保持手段１２と、回転手段１５と、カバー体１６と、配置体１７と、ケーシング１８と、流動化手段８１とを含んで構成される。本実施の形態の光ディスク装置４は、前述の第１の実施の形態の光ディスク装置１に、流動化手段８１を加えた構成であり、対応する部分については同一の参照符号を付して重複する説明を省略する。本実施の形態の光ディスク装置４は、第１の実施の形態の光ディスク装置１と類似するので、第１の実施の形態の光ディスク装置１と同様の効果は、本実施の形態の光ディスク装置４においても同様に得られる。
【００７２】
流動化手段８１は、カバー体１６の第１方向Ｚの一表面３５よりも、第１方向Ｚの他方側に配置される。流動化手段８１は、第１方向Ｚの一方側から見て、ケーシング１８の４隅のうち、移動方向Ｍの一方側の隅に配置される。流動化手段８１は、羽根車と、羽根車を回転軸まわりに回転させるモータとを含んで構成される。流動化手段８１を駆動させることによって、送風することができ、ケーシング１８内のガスを流動化させることができる。これによって、ケーシング１８内のガスを攪拌することができる。流動化手段８１を駆動させたときに生じるケーシング１８内のガスの流れる向きを矢符Ｋ１によって示す。流動化手段８１は、少なくとも保持手段１２が回転している間、送風し続ける。
【００７３】
たとえばディスク状記録媒体２１に情報を記録するときに、レーザ素子２２およびドライバ素子２３が発熱するので、レーザ素子２２およびドライバ素子２３の雰囲気ガスは、ケーシング１８内のガスの平均温度よりも高くなる。したがって、ケーシング１８内のガスを攪拌し、レーザ素子２２の雰囲気ガスおよびドライバ素子２３の雰囲気ガスを拡散することによって、レーザ素子２２の雰囲気ガスおよびドライバ素子２３の雰囲気ガスの温度上昇を抑制することができる。レーザ素子２２の雰囲気ガスおよびドライバ素子２３の雰囲気ガスの温度上昇を抑制することによって、レーザ素子２２およびドライバ素子２３に生じる熱を、レーザ素子２２の雰囲気ガスおよびドライバ素子２３の雰囲気ガスに伝えやすくすることができ、レーザ素子２２およびドライバ素子２３を冷却することができる。これによって、レーザ素子２２およびドライバ素子２３の温度上昇を抑制することができる。
【００７４】
また、レーザ素子２２およびドライバ素子２３に生じる熱は、レーザ素子２２の雰囲気ガスおよびドライバ素子２３の雰囲気ガスに伝わる。レーザ素子２２の雰囲気ガスおよびドライバ素子２３の雰囲気ガスを拡散することによって、レーザ素子２２の雰囲気ガスおよびドライバ素子２３の雰囲気ガスに伝わった熱は、ケーシング１８内のガスに効率良く伝わる。ケーシング１８内のガスの熱は、ケーシング１８に伝わり、ケーシング１８を外囲する雰囲気ガスに伝わる。つまり、レーザ素子２２の雰囲気ガスおよびドライバ素子２３の雰囲気ガスを拡散することによって、レーザ素子２２およびドライバ素子２３に生じる熱を、ケーシング１８外に効率良く伝えることができる。これによって、放熱効果の大きい光ディスク装置４を実現することができる。
【００７５】
また、ディスク状記録媒体２１が回転されることによって、レーザ素子２２の温度上昇を抑制するだけでなく、以上述べた流動化手段８１を用いてケーシング１８内のガスを攪拌することによって、レーザ素子２２の温度上昇を抑制するので、レーザ素子２２の温度上昇をさらに抑制することができる。これによって、消費電力が小さく、装置寿命の長い光ディスク装置４を実現することができる。
【００７６】
また、ディスク状記録媒体２１がカートリッジ８２に納められている場合、ディスク状記録媒体２１が回転することによって、レーザ素子２２の雰囲気ガスを拡散する効果は、前述の第１の実施の形態の効果よりも小さくなる。したがって、ディスク状記録媒体２１が回転することによってレーザ素子２２の温度上昇を抑制する効果は、小さくなるが、流動化手段８１を用いてケーシング１８内のガスを拡散することによって、レーザ素子２２およびドライバ素子２３の温度上昇を抑制することができる。
【００７７】
また、ケーシング内のガスが澱む構造を有する光ディスク装置の場合、レーザ素子およびドライバ素子の雰囲気ガスが拡散されない。レーザ素子およびドライバ素子に生じた熱が、レーザ素子の雰囲気ガスおよびドライバ素子の雰囲気ガスに伝わるが、レーザ素子およびドライバ素子の雰囲気ガスが拡散されないと、レーザ素子の雰囲気ガスおよびドライバ素子の雰囲気ガスの温度が上昇する。レーザ素子の雰囲気ガスおよびドライバ素子の雰囲気ガスの温度が上昇するので、レーザ素子およびドライバ素子に生じる熱がレーザ素子の雰囲気ガスおよびドライバ素子の雰囲気ガスへ伝わりにくくなり、レーザ素子およびドライバ素子の温度が上昇する。本実施の形態の光ディスク装置４では、流動化手段８１を用いてケーシング１８内のガスを攪拌することができるので、レーザ素子２２およびドライバ素子２３の温度上昇を抑制することができる。
【００７８】
図７は、本発明の第５の実施の形態の光ディスク装置５を模式化して示す断面図である。光ディスク装置５は、光ピックアップ手段１１と、保持手段１２と、回転手段１５と、カバー体１６と、配置体１７と、ケーシング１８と、流動化手段８１とを含んで構成される。本実施の形態の光ディスク装置５は、前述の第４の実施の形態の光ディスク装置４の、流動化手段８１の配置位置を変更した構成であり、対応する部分については同一の参照符号を付して重複する説明を省略する。本実施の形態の光ディスク装置５は、第４の実施の形態の光ディスク装置４と類似するので、第４の実施の形態の光ディスク装置４と同様の効果は、本実施の形態の光ディスク装置５においても同様に得られる。
【００７９】
流動化手段８１は、カバー体１６の第１方向Ｚの一表面３５よりも、第１方向Ｚの他方側に配置される。流動化手段８１は、第１方向Ｚの一方側から見て、第１ケーシングの４隅のうち、移動方向Ｍの一方側の隅に配置される。流動化手段８１を駆動させたときに生じるケーシング１８内のガスの流れる向きを矢符Ｋ２によって示す。流動化手段８１は、レーザ素子２２に向かって送風するように配置される。換言すると、流動化手段８１を駆動させたときに生じるケーシング１８内のガスの流れる向きにレーザ素子２２が配置され、流動化手段８１によって生じる風をレーザ素子２２が直接受ける。
【００８０】
たとえばディスク状記録媒体２１に情報を記録するときに、レーザ素子２２が発熱するので、レーザ素子２２の雰囲気ガスは、ケーシング１８内のガスの平均温度よりも高くなる。したがって、流動化手段８１は、レーザ素子２２の雰囲気ガスよりも低い温度のガスをレーザ素子２２に向かって送風する。これによって、レーザ素子２２を冷却し、レーザ素子２２の温度上昇を抑制することができる。
【００８１】
また、流動化手段８１を用いてケーシング１８内のガスを攪拌することによって、レーザ素子２２の温度上昇を抑制するだけでなく、以上述べた流動化手段８１を用いてレーザ素子２２に向かって送風することによって、レーザ素子２２の温度上昇を抑制するので、レーザ素子２２の温度上昇をさらに抑制することができる。これによって、消費電力が小さく、装置寿命の長い光ディスク装置５を実現することができる。
【００８２】
図８は、本発明の第６の実施の形態の光ディスク装置６を模式化して示す断面図である。光ディスク装置６は、光ピックアップ手段６１と、保持手段１２と、回転手段１５と、カバー体１６と、配置体１７と、ケーシング１８と、流動化手段８１とを含んで構成される。本実施の形態の光ディスク装置６は、前述の第２の実施の形態の光ディスク装置２に、流動化手段８１を加え、ドライバ素子２３の配置位置を変更した構成であり、対応する部分については同一の参照符号を付して重複する説明を省略する。本実施の形態の光ディスク装置６は、第２の実施の形態の光ディスク装置２と類似するので、第２の実施の形態の光ディスク装置２と同様の効果は、本実施の形態の光ディスク装置６においても同様に得られる。
【００８３】
ドライバ素子２３は、基台９１の移動方向Ｍの一方側の周縁部３３に配置される。基台９１の移動方向Ｍの一方とは、回転軸Ｌから離反する向きである。ドライバ素子２３の、保持面３２を含む仮想一平面に臨む表面は、この仮想一平面に露出するように、基台９１に配置される。
【００８４】
カバー体１６には、開口が形成されている。対物レンズ４４およびドライバ素子２３が、基台９１とともに移動する移動範囲の全領域にわたって、前記カバー体１６の開口から、保持面３２を含む仮想一平面側に露出するように対物レンズ４４およびドライバ素子２３は、基台９１に設けられる。換言すると、対物レンズ４４およびドライバ素子２３が、基台９１とともに移動する移動範囲の全領域にわたって、ディスク状記録媒体２１とドライバ素子２３との間、およびディスク状記録媒体２１と対物レンズ４４との間には、ガスのみが介在する。カバー体１６に開口が形成されているので、前述したように、レーザ素子２２から出射した光は、対物レンズ４４を通って、ディスク状記録媒体２１に照射される。
【００８５】
流動化手段８１は、カバー体１６の第１方向Ｚの一表面３５よりも、第１方向Ｚの他方側に配置される。流動化手段８１は、第１方向Ｚの一方側から見て、第１ケーシングの４隅のうち、移動方向Ｍの一方側の隅に配置される。流動化手段８１を駆動させたときに生じるケーシング１８内のガスの流れる向きを矢符Ｋ３によって示す。流動化手段８１は、ドライバ素子２３に向かって送風するように配置される。換言すると、流動化手段８１を駆動させたときに生じるケーシング１８内のガスの流れる向きにドライバ素子２３が配置され、流動化手段８１によって生じる風をドライバ素子２３が直接受ける。
【００８６】
たとえばディスク状記録媒体２１に情報を記録するときに、ドライバ素子２３が発熱するので、ドライバ素子２３の雰囲気ガスは、ケーシング１８内のガスの平均温度よりも高くなる。したがって、流動化手段８１は、ドライバ素子２３の雰囲気ガスよりも低い温度のガスをドライバ素子２３に向かって送風する。これによって、ドライバ素子２３を冷却し、ドライバ素子２３の温度上昇を抑制することができる。ドライバ素子２３の温度上昇を抑制することによって、レーザ素子２２の温度上昇を抑制することができる。
【００８７】
また、ディスク状記録媒体２１が回転されることによって、レーザ素子２２の温度上昇を抑制するだけでなく、以上述べた流動化手段８１を用いてドライバ素子２３に向かって風を送ることによって、レーザ素子２２の温度上昇を抑制するので、レーザ素子２２の温度上昇をさらに抑制することができる。これによって、消費電力が小さく、装置寿命の長い光ディスク装置６を実現することができる。
【００８８】
図９は、本発明の第７の実施の形態の光ディスク装置７を模式化して示す断面図である。光ディスク装置７は、光ピックアップ手段９５と、保持手段１２と、回転手段１５と、カバー体１６と、配置体１７と、ケーシング１８とを含んで構成される。本実施の形態の光ディスク装置７は、前述の第５の実施の形態の光ディスク装置５のドライバ素子２３の配置位置を、第６の実施の形態の光ディスク装置６のドライバ素子２３の配置位置を変更した構成であり、対応する部分については同一の参照符号を付して重複する説明を省略する。本実施の形態の光ディスク装置７は、第５および第６の実施の形態の光ディスク装置と類似するので、第５および第６の実施の形態の光ディスク装置と同様の効果は、本実施の形態の光ディスク装置７においても同様に得られる。
【００８９】
流動化手段８１を駆動させたときに生じるケーシング１８内のガスの流れる向きを矢符Ｋ４によって示す。流動化手段８１は、レーザ素子２２およびドライバ素子２３に向かって送風するように配置される。換言すると、流動化手段８１を駆動させたときに生じるケーシング１８内の雰囲気ガスの流れる向きにレーザ素子２２およびドライバ素子２３が配置され、流動化手段８１によって生じる風をレーザ素子２２およびドライバ素子２３が直接受ける。これによって、レーザ素子２２およびドライバ素子２３の温度上昇を抑制することができる。
【００９０】
また、レーザ素子２２は、ドライバ素子２３に対して、流動化手段８１の送風方向の上流に配置する。これによって、ドライバ素子２３の雰囲気ガスがレーザ素子２２に向かって流れにくくなり、レーザ素子２２は、ドライバ素子２３の雰囲気ガスの温度上昇の影響を受けにくくなる。したがって、レーザ素子２２の温度上昇をより抑制することができる。これによって、消費電力が小さく、装置寿命の長い光ディスク装置７を実現することができる。
【００９１】
図１０は、本発明の第８の実施の形態の光ディスク装置８を模式化して示す斜視図である。光ディスク装置８は、光ピックアップ手段６３と、保持手段１２と、回転手段１５と、カバー体１６と、配置体１７と、第１ケーシング９２と、第２ケーシング９３と、流動化手段８１と、冷却手段９４とを含んで構成される。本実施の形態の第１ケーシング９２は、前述の各実施の形態のケーシング１８に対応する。本実施の形態の光ディスク装置８は、前述の第７の実施の形態の光ディスク装置７に、冷却手段９４を加えた構成であり、対応する部分については同一の参照符号を付して重複する説明を省略する。本実施の形態の光ディスク装置８は、第７の実施の形態の光ディスク装置７と類似するので、第７の実施の形態の光ディスク装置７と同様の効果は、本実施の形態の光ディスク装置８においても同様に得られる。
【００９２】
第２ケーシング９３は、冷却手段９４と第１ケーシング９２とを収容する。第２ケーシング９３は、略直方体形状である。第１ケーシング９２および第２ケーシング９３の厚み方向は、第１方向Ｚと一致する。第１方向Ｚに垂直な予め定める方向を第５方向Ｇと定義し、第１方向Ｚおよび第５方向Ｇに垂直な方向を第６方向Ｈと定義する。第１ケーシング９２の第５方向Ｇの一側面１０１と第２ケーシング９３の第５方向Ｇの一側面１０２とは、近接して配置される。第１ケーシング９２の第６方向Ｈの側面と第２ケーシング９３の第６方向Ｈの側面とは、間隔を開けて配置される。第１ケーシング９２の第５方向Ｇ他側面と第２ケーシング９３の第５方向Ｇの他側面とは、間隔を開けて配置される。第１ケーシング９２の第１方向Ｚの一表面１０３と第２ケーシング９３の第１方向Ｚの一表面１０４とは、間隔を開けて配置される。
【００９３】
第１ケーシング９２の一側面部には、ディスク状記録媒体２１を出し入れする取り出し口１００が形成されている。ディスク状記録媒体２１は、ディスク状記録媒体２１を取りだし口１００から第１ケーシング９２内に挿入することによって、保持手段１２に保持される。
【００９４】
冷却手段９４は、羽根車と、羽根車を回転軸まわりに回転させるモータとを含んで構成される。冷却手段９４は、羽根車を回転させることによって、送風することができる。冷却手段９４は、第１ケーシング９２の第１方向Ｚの一表面１０３を含む仮想平面よりも、第１方向Ｚの一方側の、第５方向Ｇの他側面部１０５に配置される。冷却手段９４が駆動することによって、第１ケーシング９２に風を送り、第１ケーシング９２の雰囲気ガスを拡散する。冷却手段９４は、第１ケーシング９２の、第１方向Ｚの一表面１０３、第６方向Ｈの一表面１０５と他表面、および第５方向Ｇ他表面に風を送り、各面の雰囲気ガスを拡散する。
【００９５】
たとえばディスク状記録媒体２１に情報を記録するときに、レーザ素子２２およびドライバ素子２３などが発熱するので、第１ケーシング９２内のガスの温度が上昇し、第１ケーシング９２を外囲する雰囲気ガスの温度が上昇する。そのため、第１ケーシング９２を外囲する雰囲気ガスの温度は、第１ケーシング９２と第２ケーシング９３とによって囲まれるガスの平均温度よりも高くなる。冷却手段９４によって第１ケーシング９２を外囲する雰囲気ガスを拡散することで、第１ケーシング９２の雰囲気ガスの温度上昇を抑制することができる。第１ケーシング９２の雰囲気ガスの温度上昇を抑制することができるので、第１ケーシング９２の熱が第１ケーシング９２の雰囲気ガスへ伝わりやすくなり、第１ケーシング９２の温度上昇を抑制することができる。第１ケーシング９２の温度上昇を抑制することによって、第１ケーシング９２内のガスの熱が第１ケーシング９２に伝わりやすくなる。したがって、第１ケーシング９２内のガスの温度上昇を抑制することができるので、レーザ素子２２およびドライバ素子２３を冷却することができる。これによって、レーザ素子２２およびドライバ素子２３の温度上昇を抑制することができる。
【００９６】
また、冷却手段９４を用いて第１ケーシング９２を外囲する雰囲気ガスを拡散することによって、第１ケーシング９２の熱を、第１ケーシング９２と第２ケーシング９３とによって囲まれるガスに効率良く伝えることができる。第１ケーシング９２と第２ケーシング９３とによって囲まれるガスの熱は、第２ケーシング９３に伝わり、第２ケーシング９３を外囲する雰囲気ガスに伝わる。つまり、第１ケーシング９２を外囲する雰囲気ガスを拡散することによって、第１ケーシング９２の熱を、第２ケーシング９３外に効率良く伝えることができる。これによって、放熱効果の大きい光ディスク装置８を実現することができる。
【００９７】
また、流動化手段８１によってレーザ素子２２およびドライバ素子２３に向かって風を送ることによって、レーザ素子２２の温度上昇を抑制するだけでなく、以上述べた冷却手段９４を用いて第２ケーシング９３に風を送ることによって、レーザ素子２２の温度上昇を抑制するので、レーザ素子２２の温度上昇をさらに抑制することができる。これによって、消費電力が小さく、装置寿命の長い光ディスク装置８を実現することができる。
【００９８】
図１１は、本発明の第９の実施の形態の光ディスク装置９を模式化して示す斜視図である。図１２は、第１ケーシング９２に第１放熱部１１０Ａおよび第２放熱部１１０Ｂを取り付けるときの、本発明の第９の実施の形態の光ディスク装置９を模式化して示す斜視図である。光ディスク装置９は、光ピックアップ手段６３と、保持手段１２と、回転手段１５と、カバー体１６と、配置体１７と、第１ケーシング９２と、第２ケーシング９３と、流動化手段８１と、冷却手段９４と、第１放熱部１１０Ａと、第２放熱部１１０Ｂを含んで構成される。本実施の形態の光ディスク装置９は、前述の第８の実施の形態の光ディスク装置８に、第１放熱部１１０Ａおよび第２放熱部１１０Ｂを加えた構成であり、対応する部分については同一の参照符号を付して重複する説明を省略する。本実施の形態の光ディスク装置９は、第８の実施の形態の光ディスク装置８と類似するので、第８の実施の形態の光ディスク装置８と同様の効果は、本実施の形態の光ディスク装置９においても同様に得られる。
【００９９】
第１ケーシング９２の第１方向Ｚの一表面部１１１には、第１放熱部１１０Ａが配置される。第１ケーシング９２の第１方向Ｚの他表面部には、第２放熱部１１０Ｂが配置される。以後、第１放熱部１１０Ａおよび第２放熱部１１０Ｂを総称する場合には、放熱部１１０と記載する場合がある。放熱部１１０は、第１ケーシング９２よりも熱伝導率が高く、たとえばアルミニウム合金等から成る。放熱部１１０は、略直方体形状の放熱板１１２と、略直方体形状の複数の突起部１１３とから成る。放熱板１１２の厚み方向一表面を第１表面、厚み方向他表面を第２表面と記載する。放熱板１１２の厚み方向に平行で、かつ対向する１対の面の一方を第１側面、対向する面の他方を第２側面と記載する。厚み方向を第１０方向Ｓと定義する。第１側面に垂直な方向を第１１方向Ｔと定義する。第１０方向Ｓおよび第１１方向Ｔに垂直な方向を第１３方向Ｕと定義する。略直方体形状の放熱板１１２の第１表面には、第１１方向Ｔに延びる突起部１１３が形成される。突起部１１３は、第１０方向Ｓ一方側から見て、第１側面から第２側面にわたって延びる。突起部１１３は、第１３方向Ｕに所定の間隔をあけて等間隔に複数配置される。換言すると、放熱部１１０の第１０方向一方側の表面部は、凹凸状である。隣り合う突起部１１３の対向する表面の距離Ｔ１と、突起部１１３の第１３方向Ｕの厚みＴ２と、突起部１１３の第１０方向Ｓの厚みＴ３と、放熱板１１２の第１０方向Ｓの厚みＴ４との比は、たとえばＴ１：Ｔ２：Ｔ３：Ｔ４＝１：１：２：１に選ばれる。放熱部１１０が以上述べたような形状を有することによって、放熱部１１０の表面積が大きくなる。
【０１００】
放熱板１１２の第２表面を、第１ケーシング９２の表面部に接着する。放熱部１１０は、冷却手段９４によって送風される風の向きと、突起部１１３が延びる方向とが一致するように配置される。このように放熱部１１０が配置されることによって、冷却手段９４によって送風される風の流れを妨げない。
【０１０１】
放熱部１１０の表面積が大きいので、第１ケーシング９２の放熱効果を高めることができる。また、放熱部１１０の表面積が大きいので、冷却手段９４によって送風される風を受ける面積が大きくなり、第１ケーシング９２の放熱効果をより高めることができる。また、冷却手段９４によって送風される風の流れを妨げないので、放熱部１１０の雰囲気ガスを効率良く拡散することができ、第１ケーシング９２の放熱効果をより高めることができる。
【０１０２】
第１ケーシング９２の放熱効果をより高めることができるので、第１ケーシングの温度上昇を抑制することができ、レーザ素子２２およびドライバ素子２３の温度上昇を抑制することができる。
【０１０３】
また、冷却手段９４を用いて第２ケーシング９３に向かって風を送ることによって、レーザ素子２２の温度上昇を抑制するだけでなく、以上述べた第２ケーシング９３に放熱部１１０を設けることによって、レーザ素子２２の温度上昇を抑制するので、レーザ素子２２の温度上昇をさらに抑制することができる。これによって、消費電力が小さく、装置寿命の長い光ディスク装置９を実現することができる。
【０１０４】
本発明の他の実施の形態では、前述の第１〜第９の各実施の形態の光ディスク装置において、光ピックアップ手段の一部をカバー体１６によって覆わなくてもよい。基台に配置されるレーザ素子２２およびドライバ素子２３が、保持手段１２の保持面３２を含む仮想一平面に露出していれば、ディスク状記録媒体２１が回転することによって、レーザ素子２２およびドライバ素子２３の雰囲気ガスが拡散する。これによって、レーザ素子２２の温度上昇を抑制することができ、消費電力が小さく、装置寿命の長い光ディスク装置１を実現することができる。
【０１０５】
本発明のさらに他の実施の形態では、第１ケーシング９２に配置される前述の放熱部１１０の形状は、凹凸形状に限らず、直円柱形状および直方体形状などであってもよい。
【０１０６】
本発明のさらに他の実施の形態では、第１ケーシング９２の温度上昇を抑制する手段は、前述の冷却手段９４に限らず、ペルチェ素子、あるいは液体を利用して第１ケーシング９２の温度上昇を抑制する水冷手段または油冷手段などであってもよい。
【図面の簡単な説明】
【０１０７】
【図１】本発明の第１の実施の形態の光ディスク装置１を模式化して示す断面図である。
【図２】図１の切断面線ＩＩ−ＩＩから見た光ディスク装置１を模式化して示す断面図である。
【図３】本発明の第２の実施の形態の光ディスク装置２を模式化して示す断面図である。
【図４】本発明の第３の実施の形態の光ディスク装置３を模式化して示す断面図である。
【図５】本発明の第４の実施の形態の光ディスク装置４を模式化して示す断面図である。
【図６】図５の切断面線ＶＩ−ＶＩから見た光ディスク装置４を模式化して示す断面図である。
【図７】本発明の第５の実施の形態の光ディスク装置５を模式化して示す断面図である。
【図８】本発明の第６の実施の形態の光ディスク装置６を模式化して示す断面図である。
【図９】本発明の第７の実施の形態の光ディスク装置７を模式化して示す断面図である。
【図１０】本発明の第８の実施の形態の光ディスク装置８を模式化して示す斜視図である。
【図１１】本発明の第９の実施の形態の光ディスク装置９を模式化して示す斜視図である。
【図１２】第１放熱部１１０Ａおよび第２放熱部１１０Ｂを取り付けるときの、本発明の第９の実施の形態の光ディスク装置９を模式化して示す斜視図である。
【符号の説明】
【０１０８】
１，２，３，４，５，６，７，８，９  光ディスク装置
１１，６１，６３，７１，９５  光ピックアップ手段
１２  保持手段
１５  回転手段
１６  カバー体
１８  ケーシング
２１  ディスク状記録媒体
２２  レーザ素子
２３  ドライバ素子
２５，６２，６４，７２，９１  基台
８１  流動化手段
９４  冷却手段
１１０  放熱部
１１０Ａ  第１放熱部
１１０Ｂ  第２放熱部
【図１】
2006147032.tif 000003
【図２】
2006147032.tif 000004
【図３】
2006147032.tif 000005
【図４】
2006147032.tif 000006
【図５】
2006147032.tif 000007
【図６】
2006147032.tif 000008
【図７】
2006147032.tif 000009
【図８】
2006147032.tif 000010
【図９】
2006147032.tif 000011
【図１０】
2006147032.tif 000012
【図１１】
2006147032.tif 000013
【図１２】
2006147032.tif 000014